(57)【要約】【課題】放電衝撃力を用いて構造物を破壊する際に、面倒な準備作業を必要としないとともに、狭隘な場所であっても、容易に破壊作業を行い得る放電衝撃破壊装置を提供する。【解決手段】底壁部１１ａを有し内側に空間室１１ｃが形成された箱状体１１と、この箱状体に複数のボルト１８により係止されて当該箱状体の上方開口部を覆い得る蓋体１２と、上記蓋体１２の内面側で箱状体の空間室内に挿入されて上方開口部を閉鎖し得る板状体１３と、上記空間室内に配置されるとともに電源装置に接続される一対の電気配線１４に接続された金属細線１５と、上記空間室内に充填されたニトロメタン１６とから構成し、さらに板状体１３の内面側に凹状部１３ａを形成してその周囲に環状突出部１３ｂを形成するとともに、上記箱状体、蓋体および板状体においては、空間室内に充填されたニトロメタンの爆発力で破損しない強度を持たせたものである。【選択図】      図２
2007021419.tif 000002
【特許請求の範囲】
【請求項１】
底壁部を有するとともに内側に空間室が形成された箱状体と、この箱状体に複数の棒状係止部材により係止されて当該箱状体の上方開口部を覆い得る蓋体と、上記箱状体の空間室内に配置されるとともに電源装置に接続される一対の電気配線に接続された金属細線と、上記空間室内に充填された爆発性物質とから構成し、
さらに上記蓋体の内面側に、上記箱状体の上方開口部内に挿入されて当該上方開口部を閉鎖し得る板状体を配置するとともに、この板状体の内面側に凹状部を形成してその周囲を環状突出部となし、
且つ上記箱状体、蓋体および板状体に、空間室内に充填された爆発性物質の爆発力で破損しない強度を持たせたことを特徴とする放電衝撃破壊装置。
【請求項２】
所定高さの枠状側壁体と、この枠状側壁体に複数の棒状係止部材を介して係止されて両側の開口部を覆い得る一対の蓋体と、上記枠状側壁体の内側に形成される空間室内に配置されるとともに電源装置に接続される一対の電気配線に接続された金属細線と、上記空間室内に充填された爆発性物質とから構成し、
さらに上記各蓋体の内面側に、上記枠状側壁体の開口部内に挿入されて当該開口部を閉鎖し得る板状体をそれぞれ配置するとともに、これら各板状体の内面側に凹状部を形成してその周囲を環状突出部となし、
且つ上記枠状側壁体、蓋体および板状体に、空間室内に充填された爆発性物質の爆発力で破損しない強度を持たせたことを特徴とする放電衝撃破壊装置。
【請求項３】
爆発性物質がニトロメタンであることを特徴とする請求項１または２に記載の放電衝撃破壊装置。
【請求項４】
棒状係止部材が、ボルトであることを特徴とする請求項１または２に記載の放電衝撃破壊装置。
【発明の詳細な説明】
【技術分野】
【０００１】
本発明は、放電により発生する衝撃力で爆発性物質を爆発させて、例えばコンクリートなどの構造物を破壊し得る放電衝撃破壊装置に関するものである。
【背景技術】
【０００２】
最近、コンクリートなどの構造物を安全に破壊する装置として、ダイナマイトの替わりに、取り扱いが安全である放電カートリッジを用いたものが提案されている。
なお、この放電カートリッジは、例えば筒状容器内に、一対の電極間に接続された金属細線を配置するとともに水、油などの力伝達物質を充填しておき、電源装置から金属細線に、所定の電気エネルギーを一気に供給して金属細線を溶融気化させ、その溶融気化時の体積膨張に起因して発生する衝撃力（以下、放電衝撃力ともいう）を、力伝達物質を介して周囲に伝えることにより、構造物を破壊するものである。
【０００３】
そして、構造物を部分的に破壊する場合、その破壊部分に穴を形成するとともにこの穴内に放電カートリッジを挿入しておき、金属細線に電気エネルギーを供給して破壊が行われている（特許文献１参照）。
【０００４】
ところで、放電カートリッジを挿入するための穴を形成することができない場合には、筒状容器の末端部分に、構造物に直接衝突させて破壊するための砲弾のような破壊用部材（例えば、楔）を挿入しておき、そしてこの末端部分に隣接して配置された放電衝撃力の発生部分にすなわち金属細線に電気エネルギーを供給し、その溶融気化により発生する放電衝撃力により破壊用部材を筒状容器から発射させて、部分的に破壊が行われていた（特許文献２参照）。
【特許文献１】特開平１０−３３１４４７号公報参照
【特許文献２】特開平１１−７６８５４号公報参照
【発明の開示】
【発明が解決しようとする課題】
【０００５】
上記従来の放電カートリッジの構成によると、砲弾形状の破壊用部材を発射させる関係上、筒状容器がどうしても長くなるため、例えば破壊部分が狭隘な場所に位置している場合には、放電カートリッジ自体の設置が困難となり、また現地で、筒状体内に破壊用部材を装填する作業を行う必要があり、面倒な準備作業を必要としていた。
【０００６】
そこで、本発明は、放電衝撃力を用いて構造物を破壊する際に、面倒な準備作業を必要としないとともに、狭隘な場所であっても、容易に破壊作業を行い得る放電衝撃破壊装置を提供することを目的とする。
【課題を解決するための手段】
【０００７】
上記課題を解決するため、本発明の請求項１に係る放電衝撃破壊装置は、底壁部を有するとともに内側に空間室が形成された箱状体と、この箱状体に複数の棒状係止部材により係止されて当該箱状体の上方開口部を覆い得る蓋体と、上記箱状体の空間室内に配置されるとともに電源装置に接続される一対の電気配線に接続された金属細線と、上記空間室内に充填された爆発性物質とから構成し、
さらに上記蓋体の内面側に、上記箱状体の上方開口部内に挿入されて当該上方開口部を閉鎖し得る板状体を配置するとともに、この板状体の内面側に凹状部を形成してその周囲を環状突出部となし、
且つ上記箱状体、蓋体および板状体に、空間室内に充填された爆発性物質の爆発力で破損しない強度を持たせたものである。
【０００８】
また、本発明の請求項２に係る放電衝撃破壊装置は、所定高さの枠状側壁体と、この枠状側壁体に複数の棒状係止部材を介して係止されて両側の開口部を覆い得る一対の蓋体と、上記枠状側壁体の内側に形成される空間室内に配置されるとともに電源装置に接続される一対の電気配線に接続された金属細線と、上記空間室内に充填された爆発性物質とから構成し、
さらに上記各蓋体の内面側に、上記枠状側壁体の開口部内に挿入されて当該開口部を閉鎖し得る板状体をそれぞれ配置するとともに、これら各板状体の内面側に凹状部を形成してその周囲を環状突出部となし、
且つ上記枠状側壁体、蓋体および板状体に、空間室内に充填された爆発性物質の爆発力で破損しない強度を持たせたものである。
【０００９】
さらに、請求項３に係る放電衝撃破壊装置は、請求項１または２に記載の破壊装置において、爆発性物質としてニトロメタンを用いたものである。
また、請求項４に係る放電衝撃破壊装置は、請求項１または２に記載の破壊装置において、棒状係止部材としてボルトを用いたものである。
【発明の効果】
【００１０】
上記請求項１または請求項２に記載の構成によると、棒状係止部材を介して蓋体が取り付けられた箱状体または枠状側壁体の空間室内に、金属細線およびニトロメタンなどの爆発性物質を充填するとともに、金属細線の溶融気化により発生する放電衝撃力で爆発性物質を爆発させて蓋体および板状体を飛ばす（放出する）ようにしたので、従来のように、筒状容器に砲弾形状の破壊用部材を装填したものと異なり、装置自体を短く、すなわち薄くすることができ、したがって放電カートリッジを挿入するための穴を形成する必要がなく、また穴を形成することができないような狭隘な場所においても、隙間に挿入して電気エネルギーを供給するだけで、部分的に且つ容易に破壊を行うことができる。
【００１１】
特に、蓋体内面側の空間室内に板状体を配置するとともに、この板状体の内面側に凹状部を形成してその周囲を環状突出部となしたので、ニトロメタンなどの爆発性物質が爆発した際に、まず外側の蓋体が飛び出した後、極めて僅かな時間だけ遅れて、板状体が飛び出すことになる。すなわち、板状体の環状突出部が膨出して空間室の内周面に強く接触することにより、内蓋としての機能を果たすことになり、たとえ棒状係止部材または蓋体に歪などが発生して蓋体と箱状体との間に隙間が発生した場合でも爆発性物質が外部に漏れることがなく、しかも空間室内での爆発性物質の爆発反応時間が長くなるため、爆発の威力が増し、したがって威力が増した爆発により当該板状体が飛び出し破壊力が増大するとともに、爆発性物質の使用効率が高くなって経済性が向上する。
【００１２】
さらに、蓋体を箱状体に係止する棒状係止部材としてボルトを用いるとともにその断面積を調節することにより、爆発反応時間を調節して爆発力を制御することができ、またボルト毎の断面積を適宜変更することにより、蓋体の飛び出す方向、延いては板状体の飛び出す方向についても制御することができる。
【発明を実施するための最良の形態】
【００１３】
［実施の形態］
以下、本発明の実施の形態に係る放電衝撃破壊装置を図面に基づき説明する。
まず、放電衝撃破壊装置を、図１〜図３に基づき説明する。
【００１４】
図１および図２に示すように、この放電衝撃破壊装置１は、平面視が矩形状、例えば正方形にされた底壁部１１ａおよびその周囲に立設された側壁部１１ｂから成るとともに中央に平面視が円形の空間室１１ｃが形成された薄い弁当箱のような形状をした金属製の箱状体１１と、この箱状体１１の上方の円形開口部（上方開口部）１１ｄを上方から覆うようにされた金属製の蓋体１２と、この蓋体１２の内面側の位置で上記箱状体１１の円形開口部１１ｄ内に挿入され且つ空間室１１ｃの内周面に形成された環状段状部１１ｅに載置されて当該円形開口部１１ｄを閉鎖し得るようにされた金属製の板状体１３と、上記箱状体１１の空間室１１ｃ内に配置されるとともに一対の装置側電気配線１４の各一端側に両端部が接続された金属細線１５と、同じく空間室１１ｃ内に充填された液体のニトロメタン（爆発性物質の一例で、例えばガソリンを用いることもできる）１６と、上記箱状体１１から引き出された装置側電気配線１４の各他端側に接続された電源装置１７（図３に示す）とから構成されるとともに、上記箱状体１１に蓋体１２を係止するための棒状係止部材、例えばボルト（リベットでもよい）１８およびナット１９が、所定個数ずつ具備されている。
【００１５】
そして、上記板状体１３については、空間室１１ｃ側である内面側に凹状部（座ぐり部ともいう）１３ａが形成されてその周囲に所定厚さ（ｔ）で且つ所定高さ（ｈ）の環状突出部１３ｂが形成されている。
【００１６】
また、上記金属細線１５については、その両端に接続されている装置側電気配線（被覆線が用いられる）１４が、固定材（例えば、金属製または合成樹脂製のバンドなどが用いられるが、配線が裸線である場合には、当然に、合成樹脂製のものが用いられるとともに、当該装置側電気配線と箱状体との間で絶縁が行われる）２０にて、箱状体１１の底壁部１１ａに固定されている。なお、装置側電気配線１４については、箱状体１１の側壁部１１ｂに形成された貫通穴１１ｆを挿通して設けられるとともに、当該装置側電気配線１４が挿通された後の貫通穴１１ｆには詰め物（例えば、パテ材）が施されて密閉状態が保持される。また、側壁部１１ｂの適所には、空間室１１ｃ内にニトロメタン１６を充填するための充填口１１ｇが形成されており、充填後には栓２１が施されて（例えば、ねじ止めされて）塞がれる。
【００１７】
上記箱状体１１については、弁当箱のように薄くされていると説明したが、具体的に述べると、箱状体１１の高さ（Ｈ）とその一辺の長さ（Ｌ）との比率は１対２以下が好ましい。なお、箱状体１１に蓋体１２を取り付けた状態での高さ（Ｈ′）とその一辺の長さ（Ｌ）さとの比率は、最大でも１対１とされる。
【００１８】
また、上記蓋体１２の内面側に配置される円形の板状体１３の外周面である環状突出部１３ｂは、空間室１１ｃの内周面に沿うように、すなわちその外周面と空間室１１ｃの内周面（側壁部１１ｂの内周面である）との間に、当該環状突出部１３ｂの空間室１１ｃへの挿入を支障なく行い得るような僅かな隙間を有するように、且つ起爆力（後述する）で環状突出部１３ｂが変形した際に、その隙間が塞がれるような外径寸法でもって形成されている。
【００１９】
さらに、上記箱状体１１、蓋体１２および板状体１３の材質［例えば、鉄鋼（特に鋳鋼）、ステンレス、アルミニウムなどが用いられる］および厚さなどについては、空間室１１ｃ内に充填されたニトロメタン１６の爆発力で破損しない強度を有するものが選択される。なお、蓋体１２の外形は、箱状体１１の外形に一致する形状、すなわち正方形にされている。
【００２０】
また、蓋体１２を取り付けるためのボルト１８については、図１に示すように、空間室１１ｃの周囲に均等に複数本、例えば８本配置されるとともに、充填されたニトロメタン１６の量に応じて、すなわち所望の爆発力が出るような強さのものが選択され、所定の爆発反応率が得られるようにされている。この爆発反応率は、爆発性物質のうち、どれだけの割合が爆発するのかを示すもので、この反応率が高ければ、爆発の威力が大きいことを示している。
【００２１】
上記ボルト１８の強さについては、例えば放電衝撃力だけで起爆できないような、金属細線１５から遠く離れた位置のニトロメタン１６を、金属細線１５の近くの起爆したニトロメタン１６の爆発力で爆発（伝爆）させるために、爆発反応率が十分に高まるまでの間にボルト１８が伸びてニトロメタン１６の収容空間（空間室１１ｃの部分）が増えても、ニトロメタン１６を殆ど外部に漏らさない程度の強度（係止能力）を有するようにされている。
【００２２】
例えば、実際の爆発を観察した場合、放電衝撃力によりニトロメタン１６が起爆すると、爆発により、蓋体１２および板状体１３が押し出されるため、ボルト１８が伸び始め（このとき、ニトロメタンの漏れはない）、そしてボルト１８が破断して蓋体１２が飛び出し（ニトロメタンの収容空間は増えるが、板状体により、ニトロメタンの漏れが防止されている）、最後に、板状体１３が飛び出していることが分かった。ニトロメタン１６の漏れの防止については、板状体１３の一部が箱状体１１から出ているが、その環状突出部１３ｂの外方への変形により、当該環状突出部１３ｂが空間室１１ｃの内周面に押し付けられた状態（密着）になっているからである。
【００２３】
このように、起爆から板状体１３の飛び出しまで、非常に短時間であるが時間差があり、伝爆自体も短時間で起こることから、ボルト１８が破断するまでに、８０〜９０％程度の爆発反応率が得られれば、全体として１００％の爆発反応率に近づくと推定され、したがってボルト１８については、伸びなどの変形をしてもよいが、目標の爆発反応率まで係止状態が維持できるような所定強度を有するようにされている。この所定強度に対応する爆発力について具体的に説明するとしたら、爆発反応率が十分に（例えば、８０〜９０％程度）高まる準完爆程度の爆発力である。
【００２４】
なお、ボルト１８の強度が小さいと、蓋体１２が早く飛び出すとともに、それにつれて板状体１３も早く飛び出すことになり、ニトロメタン１６の爆発反応量が少なくなって（使用効率が低下して）、非経済的となり、また当然に、全体としての爆発力が小さくなる。
【００２５】
また、上記電源装置１７は、図３に示すように、高電圧の直流電源３１と、この直流電源３１に充電用電気配線３２を介して並列に接続されたコンデンサ３３と、この充電用電気配線３２の途中に設けられて上記コンデンサ３３に充電する電気量を制御するための充電制御回路３４と、上記コンデンサ３３に金属細線１５を並列に接続するための接続用電気配線３５と、この接続用電気配線３５の途中に設けられた放電用スイッチ３６とから構成されている。
【００２６】
上記電源装置１７において、充電制御回路３４により所定の電気量をコンデンサ３３に蓄積しておき、放電用スイッチ３６をオンにすることにより、一気に所定の電気エネルギー（電気量）を金属細線１５に供給して当該金属細線１５を瞬時に溶融気化させ、この瞬時の溶融気化により放電衝撃力が発生して瞬時に伝わり、この放電衝撃力により所定範囲（起爆条件を満たす範囲）のニトロメタン１６が起爆し、極めて僅かな時間でもって、金属細線１５から外側に向かって残りのニトロメタン１６の爆発反応（伝爆）が進行し、最終的には、全てのニトロメタン１６が爆発（完爆）して所定の爆発力が得られる。
【００２７】
次に、上記放電衝撃破壊装置により、コンクリート製の構造物を、例えば部分的に破壊する方法について説明する。
まず、放電衝撃破壊装置１そのものに着目して、放電衝撃力の発生メカニズムについて説明する。
【００２８】
放電前においては、図４（ａ）に示すように、装置側電気配線１４に接続された金属細線１５を、固定材２０を介して箱状体１１の底壁部１１ａに固定するとともに、板状体１３を空間室１１ｃ内に挿入して環状段状部１１ｅに支持させ、そして蓋体１２をボルト１８およびナット１９を介して箱状体１１に係止した後、箱状体１１の適所に形成された充填口１１ｆから空間室１１ｃ内にニトロメタン１６を充填する。勿論、蓋体１２と箱状体１１との接触部分には、シール剤（例えば、シリコングリースなどが用いられる）４１が配置されて密封状態にされており、充填後、充填口１１ｆは栓２１により塞がれる。なお、ボルト１８の装着穴および栓２１のねじ部についても、上記と同様のシール剤が充填されている。
【００２９】
この状態で、電源装置１７にて所定の電気エネルギーを金属細線１５に一気に供給すると、図４（ｂ）〜（ｃ）に示すように、金属細線１５が溶融気化し、そのときの放電衝撃力によりニトロメタン１６を起爆させる。ニトロメタン１６の起爆時には、金属細線１５近傍の部分が爆発し、引き続いて、その周囲の残りの部分については、既に起爆した衝撃力により、蓋体１２側に且つ半径方向に爆発反応が連鎖的に生じ、順次、爆発力が大きくなる。この爆発力により、蓋体１２および板状体１３が外方に飛び出すが、板状体１３については、その爆発力により、凹状部１３ａの周囲の環状突出部１３ｂが外側に膨出して、空間室１１ｃの内周面との隙間を塞ぐことになり、その抵抗分だけ、板状体１３の飛び出しが遅れることになる。
【００３０】
すなわち、ニトロメタン１６の爆発による衝撃と空間室１１ｃ内の圧力上昇による力を、板状体１３および蓋体１２は受けるが、この力にボルト１８が耐えられなくなり（準完爆程度の爆発力を超えた場合である）、蓋体１２が飛び出すとともに板状体１３の環状突出部１３ｂが変形して空間室１１ｃの内周面との隙間が塞がり、このため板状体１３の飛び出しが僅かに遅れ、したがって空間室１１ｃ内では密閉状態が維持され、その分、爆発反応時間が長くなるため、爆発の威力が増大し、しかも、図４（ｄ）に示すように、この威力が増大した爆発エネルギーが板状体１３に作用して、板状体１３がさらに力を受けて、より早い速度でもって飛び出す。勿論、爆発反応時間が長くなると、爆発力の威力が増して、より大きい爆発力が蓋体１２に作用する。言い換えれば、板状体１３の運動エネルギーが増大して、破壊力が大きくなる。当然に、ニトロメタン１６の反応効率が向上するため、経済的となる。
【００３１】
詳しく説明すれば、破壊面までの距離が短い場合には、先に、蓋体１２が破壊面に到達して一次破壊を行った後、板状体１３がより大きい速度で到達して二次破壊を行う。すなわち、破壊力が増大することになる。
【００３２】
しかし、破壊面までの距離が長い場合［図４（ｄ）の場合］には、後からの板状体１３がより大きい速度でもって蓋体１２に衝突して、蓋体１２と板状体１３とが一緒になって破壊面に到達するため、強力な破壊作用が得られる。
【００３３】
次に、破壊作業の具体例について、簡単に説明しておく。
図５は岩盤Ｇなどを破壊する場合を示している。
図５（ａ）に示すように、予め、岩盤に裂け目Ｇｓを入れておくか、または自然にできた裂け目Ｇｓに、上述した放電衝撃破壊装置１、すなわち金属細線１５およびニトロメタン１６が充填され、且つ板状体１３が挿入されて蓋体１２がその上から取り付けられた箱状体１１を配置した後、電気配線１４を介して接続された電源装置１７より、電気エネルギーを金属細線１５に一気に供給すれば、図５（ｂ）に示すように、ニトロメタン１６の爆発力により、蓋体１２および板状体１３が瞬間的に且つ順次飛び出され（放出され）、裂け目Ｇｓか破壊される。すなわち、破壊対象の岩盤部分Ｇｐを落下させて破壊することができる。
【００３４】
図６は、鉄筋コンクリート製の構造物の表面部分を破壊する場合を示している。
図６（ａ）に示すように、放電衝撃破壊装置１を作業用重機のアーム部Ｒａの先端に保持させるとともに、その蓋体１２が破壊面Ｋに対向するように移動させて、金属細線１５に電気エネルギーを一気に供給すれば、ニトロメタン１６の爆発力により、蓋体１２および板状体１３が瞬間的に且つ順次破壊面Ｋに向かって飛び出される（放出される）。すなわち、これらの衝突力により、図６（ａ）および（ｂ）に示すように、破壊面Ｋを部分的に破壊することができる。
【００３５】
図７は、鉄筋コンクリート製の床、壁などの一部を限定的に破壊する場合を示している。
図７に示すように、鉄筋コンクリート製の床、壁などの壁体部Ｆを限定的に破壊する場合には、その壁体部Ｆを覆い得る有底筒状取付体５１の内底面に、放電衝撃破壊装置１を取り付けておき、そしてこの筒状取付体５１の開口部を、その破壊部分を覆うように押し付けて、金属細線１５に電気エネルギーを一気に供給すれば、その部分だけを安全に破壊することができる。なお、この筒状取付体５１は、破壊物の飛散防止部材（安全部材）としての機能も有している。
【００３６】
このように、ボルト１８を介して蓋体１２が取り付けられた箱状体１１の空間室１１ｃ内に、金属細線１５を配置しおよびニトロメタン１６を充填するとともに、板状体１３を挿入しておき、金属細線１５の溶融気化により発生する放電衝撃力でニトロメタン１６を爆発させて蓋体１２と板状体１３とを飛ばす（放出する）ようにしたので、従来のように、筒状容器に砲弾形状の破壊用部材を装填したものと異なり、装置自体を短く、すなわち薄くすることができ、したがって放電カートリッジを挿入するための穴を形成したり、また穴を形成することができないような狭隘な場所においても、隙間に挿入して電気エネルギーを供給するだけで、部分的に且つ容易に破壊を行うことができる。
【００３７】
特に、蓋体１２の内面側の箱状体１１の空間室１１ｃ内に板状体１３を挿入したので、ニトロメタン１６が爆発した際に、まず外側の蓋体１２が飛び出した後、極めて僅かな時間であるが、少し遅れて、板状体１３が飛び出すことになる。すなわち、板状体１３の環状突出部１３ｂの存在により、たとえボルト１８または蓋体１２に歪などが発生して蓋体１２と箱状体１１との間に隙間が発生した場合でも、当該環状突出部１３ｂの膨出による隙間の閉塞により、ニトロメタン１６が外部に漏れることがなく、しかも空間室１１ｃ内でのニトロメタン１６の爆発反応時間が長くなるため、爆発の威力が増し、したがって威力が増した爆発により当該板状体１３が飛び出し破壊力が増大するとともに、ニトロメタン１６の使用効率が高くなって経済性が向上する。
【００３８】
さらに、板状体１３の存在により、最初に飛び出した蓋体１２に与えられた運動エネルギーに加えて、爆発反応時間が長くなり爆発の威力が増した分のエネルギーが板状体１３に作用するとともに、これら蓋体１２および板状体１３が破壊物に衝突して合体した場合には、例えば両者が一体化したものが飛び出した際のエネルギー（この場合、爆発反応時間が短い）よりも大きいため、その破壊エネルギーは格段に向上し、例えば一体化したものに比べて、その飛出し速度は１．５倍程度またはそれ以上になる。
【００３９】
また、蓋体１２を箱状体１１に係止するのに、棒状係止部材、例えばボルト１８およびナット１９を用いたので、ボルト１８の断面積を調節することで、起爆力すなわち爆発反応時間を調節して、爆発力を制御することができるとともに、例えば各ボルト１８の断面積を適宜変更することにより、蓋体１２の飛び出す方向、延いては板状体１３の飛び出す方向についても制御することができる。
【００４０】
ところで、上記実施の形態においては、放電衝撃破壊装置のニトロメタンの収容部（カートリッジ部でもある）を、有底の箱状体と、この箱状体の上方開口部を覆う蓋体とにより構成したが、例えば中央に空間室が形成された枠状側壁体と、この枠状側壁体の両側の開口部を覆う一対の蓋体とから構成してもよい。
【００４１】
すなわち、図８に示すように、この放電衝撃破壊装置６１は、中央に空間室６２ａを有する所定高さの枠状側壁体６２と、この枠状側壁体６２に複数の棒状係止部材であるボルト６３およびナット６４を介して係止されて両側の開口部を覆い得る一対の蓋体６５と、これら各蓋体６５の内面側で且つ空間室６２ａ内に配置された一対の板状体６６と、上記枠状側壁体６２の内側に形成される空間室６２ａ内の中央部に配置されるとともに電源装置（図示せず）に接続される一対の電気配線６７の各一端側に両端部が接続された金属細線６８と、上記空間室６２ａ内に充填された爆発性物質であるニトロメタン６９とから構成され、且つ上記枠状側壁体６２、蓋体６５および板状体６６においては、空間室６２ａに充填されたニトロメタン６９の爆発力で変形しても破損しない強度を有するようにされている（つまり、材質および厚さなどが選定されている）。例えば、上述した実施の形態と同様に、枠状側壁体６２、各蓋体６５、各板状体６６については、金属製材料（所謂、導電性材料）により構成されている。勿論、上記各板状体６６においては、空間室６２ａ側である内面側には、凹状部６６ａが形成されてその周囲に環状突出部６２ｂが形成されており、また上記枠状側壁体６２の内面の各開口部側には、各板状体６６の位置決めを行うための環状段状部６２ｂがそれぞれ形成されている。
【００４２】
なお、この放電衝撃破壊装置６１においても、上述した放電衝撃破壊装置１と同様の効果が得られる他に、破壊部分に配置（挿入）した際に、両蓋体６５の外方に空間が存在している場合には、両蓋体６５および両板状体６６の飛び出しにより、両側の破壊を一度に行うことができ、したがって破壊作業効率の向上を図ることができる。
【００４３】
また、上記実施の形態においては（図８に示したものも含む）、板状体１３，６６を空間室１１ｃ，６２ａ内に位置決めするのに、箱状体１１または枠状側壁体６２側に、環状段状部１１ｅ，６２ｂを形成したが、この環状段状部１１ｅ，６２ｂを形成する替わりに、それぞれの内面に、筒状部材を配置してその端面で板状体の位置決めを行うようにしてもよく、この場合、それぞれ段状部の加工費用を省くことができる。
【００４４】
また、上記実施の形態においては（図８に示したものも含む）、箱状体（または枠状側壁体）の外形を正方形に、空間室を円形に形成したが、逆に、箱状体（または枠状側壁体）の外形を円形に、空間室を正方形に形成してもよく、または両者とも正方形にしてもよく、若しくは両者とも円形に形成してもよく、さらに少なくとも、空間室については、円形の他に、多角形状であってもよい。
【００４５】
さらに、上記実施の形態においては、箱状体、蓋体および板状体を金属製材料（所謂、導電性材料）として説明したが、場合によっては、セラミックまたは強化プラスチックなどの強化合成樹脂を用いてもよい。
【図面の簡単な説明】
【００４６】
【図１】本発明の実施の形態に係る放電衝撃破壊装置の一部切欠正面図である。
【図２】同放電衝撃破壊装置の断面図である。
【図３】同放電衝撃破壊装置における電源装置の概略構成を示す電気回路図である。
【図４】同放電衝撃破壊装置における放電衝撃力による爆発作用を説明する断面図である。
【図５】同放電衝撃破壊装置による破壊作業を説明する断面図である。
【図６】同放電衝撃破壊装置による破壊作業を説明する断面図である。
【図７】同放電衝撃破壊装置による破壊作業を説明する断面図である。
【図８】同放電衝撃破壊装置の変形例を示す断面図である。
【符号の説明】
【００４７】
１      放電衝撃破壊装置
１１      箱状体
１１ａ    底壁部
１１ｂ    側壁部
１１ｃ    空間室
１１ｄ    開口部
１１ｅ    環状段状部
１２      蓋体
１２ａ    環状突出部
１３      板状体
１３ａ    凹状部
１３ｂ    環状突出部
１４      装置側電気配線
１５      金属細線
１６      ニトロメタン
１７      電源装置
１８      ボルト
６１      放電衝撃破壊装置
６２      枠状側壁体
６２ａ    空間室
６２ｂ    環状段状部
６３      ボルト
６５      蓋体
６６      板状体
６６ａ    凹状部
６６ｂ    環状突出部
６７      電気配線
６８      金属細線
６９      ニトロメタン
【図１】
2007021419.tif 000003
【図２】
2007021419.tif 000004
【図３】
2007021419.tif 000005
【図４】
2007021419.tif 000006
【図５】
2007021419.tif 000007
【図６】
2007021419.tif 000008
【図７】
2007021419.tif 000009
【図８】
2007021419.tif 000010